(57)【要約】【課題】印刷装置の電源オフの状態や省電力の状態になっている場合でも印刷指示装置で保持している用紙の属性情報と印刷装置で保持している用紙の属性情報との間の不整合を抑制することが可能な印刷指示装置、印刷システム及びプログラムを提供する。【解決手段】コントローラ２は、ストック情報２１２を記憶する記憶部２１と、プリンタ４に設けられた給紙トレイ４６に対してストック情報４１３が設定されたトレイ情報４１２を取得する取得手段２０１と、取得されたトレイ情報４１２に基づいて、ストック情報４１３が給紙トレイ４６に対して設定されているか否かに応じてストック情報４１３を記憶部２１に記憶されたストック情報２１２で書替えを行うよう制御するストック情報管理手段２０２とを備える。【選択図】図１
2020154813.tif 000002
【特許請求の範囲】
【請求項１】
用紙の属性情報を記憶する記憶手段と、
印刷装置に設けられた給紙部に対して用紙の属性情報が設定された給紙情報を取得する取得手段と、
取得された前記給紙情報に基づいて、前記用紙の属性情報が前記給紙部に対して設定されているか否かに応じて前記用紙の属性情報を前記記憶手段に記憶された前記用紙の属性情報で書替えを行うよう制御する制御手段と、
を備えた印刷指示装置。
【請求項２】
前記用紙の属性情報が前記給紙部に対して設定されている場合、前記制御手段は、取得された前記給紙情報に含まれる前記用紙の属性情報と前記記憶手段に記憶されている前記用紙の識別情報との同一性に応じて前記書替えを行う、
請求項１に記載の印刷指示装置。
【請求項３】
取得された前記給紙情報に含まれる前記用紙の属性情報の識別情報と前記記憶手段に記憶されている前記用紙の識別情報とが同一、かつ、前記用紙の属性情報が同一の場合には、前記制御手段は、前記書替えを行わない、
請求項２に記載の印刷指示装置。
【請求項４】
取得された前記給紙情報に含まれる前記用紙の属性情報の識別情報と前記記憶手段に記憶されている前記用紙の識別情報とが同一、かつ、前記用紙の属性情報が異なる場合には、前記制御手段は、前記書替えを行う、
請求項２に記載の印刷指示装置。
【請求項５】
前記制御手段は、前記書替えを行う際、前記用紙の識別情報が書き替えられた旨を表示する、
請求項４に記載の印刷指示装置。
【請求項６】
前記用紙の属性情報が前記給紙部に対して設定されていない場合、取得された前記給紙情報に含まれる前記用紙の属性情報と前記記憶手段に記憶されている前記用紙の識別情報との同一性の有無に拘らず、前記制御手段は、前記書替えを行うよう制御する、
請求項１から５のいずれか１項に記載の印刷指示装置。
【請求項７】
前記取得手段が前記給紙情報を取得できなかった場合、前記制御手段は、前記書替えを行うよう制御する、
請求項６に記載の印刷指示装置。
【請求項８】
前記記憶手段に前記用紙の属性情報が記憶されていない場合は、前記制御手段は、前記印刷装置に設定されている前記用紙の属性情報を削除するよう制御する、
請求項１に記載の印刷指示装置。
【請求項９】
前記制御手段は、予め定められたタイミングに前記書替えを行う、
請求項１から８のいずれか１項に記載の印刷指示装置。
【請求項１０】
前記予め定められたタイミングは、前記印刷装置が電源オフの状態又は省電力の状態から通常の状態に復帰したときである、
請求項９に記載の印刷指示装置。
【請求項１１】
給紙部に対して用紙の属性情報が給紙情報として設定される印刷装置と、
用紙の属性情報を記憶する記憶手段と、前記給紙情報を取得する取得手段と、取得された前記給紙情報に基づいて、前記用紙の属性情報が前記給紙部に対して設定されているか否かに応じて前記用紙の属性情報を前記記憶手段に記憶された前記用紙の属性情報で書替えを行うよう制御する制御手段と、を備えた印刷指示装置と、
を備えた印刷システム。
【請求項１２】
用紙の属性情報を記憶する記憶手段を備えたコンピュータを、
印刷装置に設けられた給紙部に対して用紙の属性情報が設定された給紙情報を取得する取得手段と、
取得された前記給紙情報に基づいて、前記用紙の属性情報が前記給紙部に対して設定されているか否かに応じて前記用紙の属性情報を前記記憶手段に記憶された前記用紙の属性情報で書替えを行うよう制御する制御手段、
として機能させるためのプログラム。
【発明の詳細な説明】
【技術分野】
【０００１】
本発明は、印刷指示装置、印刷システム及びプログラムに関する。
【背景技術】
【０００２】
近年、拡張的な記録媒体情報を考慮した画像形成を行う際、ユーザが意図した画像を形成するようにした画像形成装置が提案されている（例えば、特許文献１参照）。
【０００３】
特許文献１に記載の画像形成装置は、画像を形成する画像形成手段と、画像形成手段に接続され、画像形成手段における画像形成を制御する画像形成制御手段と、画像形成を行う記録媒体に応じて定められた媒体情報を記憶する媒体情報記憶手段を、画像形成制御手段と画像形成手段との各々に設け、画像形成制御手段の媒体情報と画像形成手段の媒体情報とを比較する比較手段と、比較手段による比較の結果、両媒体情報が一致しないとき、画像形成手段の媒体情報を、画像形成制御手段の媒体情報に同期させる同期手段と、を含む。
【先行技術文献】
【特許文献】
【０００４】
【特許文献１】特開２０１６−１７５３５４号公報
【発明の概要】
【発明が解決しようとする課題】
【０００５】
印刷装置が有する給紙部に対して印刷指示装置から用紙の属性情報を転送して設定できる構成において、印刷装置の電源オフの状態や省電力の状態になっていると、印刷指示装置から用紙の属性情報を印刷装置に転送できず、印刷指示装置が保持する用紙の属性情報と印刷装置が保持する用紙の属性情報との間に不整合が生じる場合がある。
【０００６】
本発明の課題は、印刷装置の電源オフの状態や省電力の状態になっている場合でも印刷指示装置で保持している用紙の属性情報と印刷装置で保持している用紙の属性情報との間の不整合を抑制することが可能な印刷指示装置、印刷システム及びプログラムを提供することにある。
【課題を解決するための手段】
【０００７】
［１］用紙の属性情報を記憶する記憶手段と、
印刷装置に設けられた給紙部に対して用紙の属性情報が設定された給紙情報を取得する取得手段と、
取得された前記給紙情報に基づいて、前記用紙の属性情報が前記給紙部に対して設定されているか否かに応じて前記用紙の属性情報を前記記憶手段に記憶された前記用紙の属性情報で書替えを行うよう制御する制御手段と、を備えた印刷指示装置。
［２］前記用紙の属性情報が前記給紙部に対して設定されている場合、前記制御手段は、取得された前記給紙情報に含まれる前記用紙の属性情報と前記記憶手段に記憶されている前記用紙の識別情報との同一性に応じて前記書替えを行う、前記［１］に記載の印刷指示装置。
［３］取得された前記給紙情報に含まれる前記用紙の属性情報の識別情報と前記記憶手段に記憶されている前記用紙の識別情報とが同一、かつ、前記用紙の属性情報が同一の場合には、前記制御手段は、前記書替えを行わない、前記［２］に記載の印刷指示装置。
［４］取得された前記給紙情報に含まれる前記用紙の属性情報の識別情報と前記記憶手段に記憶されている前記用紙の識別情報とが同一、かつ、前記用紙の属性情報が異なる場合には、前記制御手段は、前記書替えを行う、前記［２］に記載の印刷指示装置。
［５］前記制御手段は、前記書替えを行う際、前記用紙の識別情報が書き替えられた旨を表示する、前記［４］に記載の印刷指示装置。
［６］前記用紙の属性情報が前記給紙部に対して設定されていない場合、取得された前記給紙情報に含まれる前記用紙の属性情報と前記記憶手段に記憶されている前記用紙の識別情報との同一性の有無に拘らず、前記制御手段は、前記書替えを行うよう制御する、前記［１］から［５］のいずれか１つに記載の印刷指示装置。
［７］前記取得手段が前記給紙情報を取得できなかった場合、前記制御手段は、前記書替えを行うよう制御する、前記［６］に記載の印刷指示装置。
［８］前記記憶手段に前記用紙の属性情報が記憶されていない場合は、前記制御手段は、前記印刷装置に設定されている前記用紙の属性情報を削除するよう制御する、前記［１］に記載の印刷指示装置。
［９］前記制御手段は、予め定められたタイミングに前記書替えを行う、前記［１］から［８］のいずれか１つに記載の印刷指示装置。
［１０］前記予め定められたタイミングは、前記印刷装置が電源オフの状態又は省電力の状態から通常の状態に復帰したときである、前記［９］に記載の印刷指示装置。
［１１］給紙部に対して用紙の属性情報が給紙情報として設定される印刷装置と、
用紙の属性情報を記憶する記憶手段と、前記給紙情報を取得する取得手段と、取得された前記給紙情報に基づいて、前記用紙の属性情報が前記給紙部に対して設定されているか否かに応じて前記用紙の属性情報を前記記憶手段に記憶された前記用紙の属性情報で書替えを行うよう制御する制御手段と、を備えた印刷指示装置と、を備えた印刷システム。
［１２］用紙の属性情報を記憶する記憶手段を備えたコンピュータを、
印刷装置に設けられた給紙部に対して用紙の属性情報が設定された給紙情報を取得する取得手段と、
取得された前記給紙情報に基づいて、前記用紙の属性情報が前記給紙部に対して設定されているか否かに応じて前記用紙の属性情報を前記記憶手段に記憶された前記用紙の属性情報で書替えを行うよう制御する制御手段、として機能させるためのプログラム。
【発明の効果】
【０００８】
請求項１、１１、１２係る発明によれば、印刷装置の電源オフの状態や省電力の状態になっている場合でも印刷指示装置で保持している用紙の属性情報と印刷装置で保持している用紙の属性情報との間の不整合を抑制することが可能になる。
請求項２に係る発明によれば、給紙部に対して用紙の属性情報が設定されている場合は、用紙の属性情報の同一性を考慮して書替えを行うことができる。
請求項３に係る発明によれば、無用な書替えを省くことができる。
請求項４に係る発明によれば、用紙の属性情報の識別情報が同一ならば、用紙の属性情報も同一と認識させることができる。
請求項５に係る発明によれば、給紙部に設定されている用紙の属性情報が書き替えられた旨を表示することができる。
請求項６、７に係る発明によれば、給紙部に対して用紙の属性情報が設定されていない場合には、無条件に書き替えることができる。
請求項８に係る発明によれば、印刷指示装置側で用紙の属性情報を保持していない場合には、その状態を印刷装置にも適用させることができる。
請求項９に係る発明によれば、常時整合させなくても必要なタイミングで整合させることができる。
請求項１０に係る発明によれば、通常の状態になったときに整合させることができる。
【図面の簡単な説明】
【０００９】
【図１】図１は、本発明の実施の形態に係る印刷システムの構成例を示すブロック図である。
【図２】図２は、用紙属性情報の一例を示す図である。
【図３】図３は、ストック情報の一例を示す図である。
【図４】図４は、トレイ情報の一例を示す図である。
【図５】図５（ａ）〜（ｃ）は、コントローラが保持するストック情報とプリンタが保持するトレイ情報との変化を説明するための図である。
【図６】図６（ａ）、（ｂ）は、コントローラが保持するストック情報とプリンタが保持するトレイ情報との変化を説明するための図である。
【図７】図７（ａ）〜（ｃ）は、コントローラが保持するストック情報とプリンタが保持するトレイ情報との変化を説明するための図である。
【図８】図８（ａ）〜（ｃ）は、コントローラが保持するストック情報とプリンタが保持するトレイ情報との変化を説明するための図である。
【図９】図９は、コントローラの動作の一例を示すフローチャートである。
【発明を実施するための形態】
【００１０】
以下、本発明の実施の形態について図面を参照して説明する。なお、各図中、実質的に同一の機能を有する構成要素については、同一の符号を付してその重複した説明を省略する。
【００１１】
［実施の形態の要約］
本実施の形態に係る印刷指示装置は、用紙の属性情報を記憶する記憶手段と、印刷装置に設けられた給紙部に対して用紙の属性情報が設定された給紙情報を取得する取得手段と、取得された給紙情報に基づいて、用紙の属性情報が給紙部に対して設定されているか否かに応じて用紙の属性情報を記憶手段に記憶された用紙の属性情報で書替えを行うよう制御する制御手段とを備える。
【００１２】
［実施の形態］
図１は、本発明の実施の形態に係る印刷システムの構成例を示す図である。この印刷システム１は、コントローラ２と、コントローラ２に通信線３を介して接続されたプリンタ４とを備える。コントローラ２は、印刷指示装置の一例である。プリンタ４は、印刷装置の一例である。
【００１３】
コントローラ２は、印刷システム１又はコントローラ２の管理者（以下、第１の管理者という。）により各種の設定がなされる。プリンタ４は、プリンタ４の管理者（以下、第２の管理者という。）により各種の設定がなされる。このため、後述するようにコントローラ２で設定された情報とプリンタ４で設定された情報との間に不整合が発生し得る。
【００１４】
（コントローラの構成）
コントローラ２は、コントローラ２の各部を制御する制御部２０と、各種の情報を記憶する記憶部２１と、液晶ディスプレイ等で実現される表示部２２と、キーボード、マウス等で実現される入力部２３と、プリンタ４との間で通信線３を介して情報を送受信する通信部２４とを備える。なお、表示部２２及び入力部２３は、それらが一体化されたタッチパネルディスプレイ等で実現されてもよい。
【００１５】
制御部２０は、ＣＰＵ（Central Processing Unit）、インターフェース等で構成されている。ＣＰＵは、記憶部２１に記憶されているプログラム２１０に従って動作することにより、取得手段２０１、ストック情報管理手段２０２、印刷制御手段２０３等として機能する。なお、各手段２０１〜２０３の詳細については後述する。ストック情報管理手段２０２は、制御手段の一例である。
【００１６】
記憶部２１は、ＲＯＭ（Read Only Memory）、ＲＡＭ（Random Access Memory）、ハードディスク等から構成され、プログラム２１０、用紙属性情報２１１（図２参照）、ストック情報２１２（図３参照）、トレイ情報４１２（図４参照）等の各種の情報が記憶されている。ストック情報２１２は、用紙の属性情報の一例である。トレイ情報４１２は、給紙情報の一例である。
【００１７】
用紙属性情報２１１は、ストック情報２１２を作成する元となる用紙の属性情報である。用紙属性情報２１１の詳細については後述する。
【００１８】
ストック情報２１２は、プリンタ４に適用すべく第１の管理者により設定され、コントローラ２の記憶部２１に記憶される。このため、ストック情報２１２がコントローラ２の記憶部２１に記憶されていない場合もある。ストック情報２１２の詳細については後述する。
【００１９】
トレイ情報４１２は、プリンタ４から取得されて記憶されるものであるため、プリンタ４から取得できない場合には、記憶部２１に記憶されていない。トレイ情報４１２の詳細については後述する。
【００２０】
（プリンタの構成）
プリンタ４は、プリンタ４の各部を制御する制御部４０と、各種の情報を記憶する記憶部４１と、液晶ディスプレイ等で実現される表示部４２と、キーボード、マウス等で実現される入力部４３と、コントローラ２との間で通信線３を介して情報を送受信する通信部４４と、印刷を実行する印刷実行部４５と、用紙を印刷実行部４５に給紙する複数の給紙トレイ４６Ａ、４６Ｂ（これらを総称するときは「給紙トレイ４６」ともいう。）とを備える。給紙トレイ４６は、給紙部の一例である。なお、表示部４２及び入力部４３は、それらが一体化されたタッチパネルディスプレイ等で実現されてもよい。
【００２１】
制御部４０は、ＣＰＵ（Central Processing Unit）、インターフェース等で構成されている。ＣＰＵは、記憶部４１に記憶されているプログラム４１０に従って動作する。制御部４０は、コントローラ２から送信された印刷ジョブに基づいて対応する給紙トレイ４６から用紙を給紙させ、印刷するよう印刷実行部４５を制御する。
【００２２】
制御部４０は、プリンタ４の電源投入時等に、コントローラ２と通信して自己の機器情報として給紙トレイ４６の情報（例えば、給紙トレイ４６の数、トレイ番号等）をコントローラ２に送信する。なお、制御部４０は、コントローラ２から要求されても給紙トレイ４６に割り当てられていないストック情報４１３をコントローラ２に送信しない構成になっている。
【００２３】
記憶部４１は、ＲＯＭ（Read Only Memory）、ＲＡＭ（Random Access Memory）、ハードディスク等から構成され、プログラム４１０、用紙属性情報４１１、給紙トレイ４６に割り当てられたトレイ情報４１２（図４参照）、給紙トレイ４６に割り当てられていないストック情報４１３等の各種の情報が記憶されている。
【００２４】
用紙属性情報４１１は、コントローラ２で説明した用紙属性情報２１１と同じ項目を有する。
【００２５】
ストック情報４１３は、給紙トレイ４６に割り当てられていないもので、コントローラ２で説明したストック情報２１２と同じ項目を有する。ストック情報４１３は、給紙トレイ４６に割り当てるために第２の管理者により設定され、プリンタ４の記憶部４１に記憶される。コントローラ２のストック情報２１２とプリンタ４のストック情報４１３とは、設定する者が異なるため、両者の間で不整合が発生し得る。ストック情報４１３は、それが給紙トレイ４６に割り当てられると、制御部４０により削除される。
【００２６】
図２は、用紙属性情報２１１の一例を示す図である。用紙属性情報２１１は、サイズ、種類、坪量等の項目を有する。サイズには、用紙のＡ４、Ａ３、Ｂ５等のサイズが示される。種類には、普通紙、インデックス紙等の用紙の種類が示される。坪量には、１平方メートル当たりの用紙の重さがｇｓm（grams per square meter）の単位で示される。
【００２７】
図３は、ストック情報２１２の一例を示す図である。ストック情報２１２は、ストック情報２１２を識別するストック名２１２ａと、用紙属性情報２１１から選択された用紙属性情報２１２ｂとを含む。ストック情報２１２は、ストック名、サイズ、種類、坪量等の項目を有する。ストック名には、ストック名２１２ａが記録される。サイズ、種類、坪量等は、図２で説明したのと同じ意味の用紙属性情報２１２ｂである。ストック名２１２ａは、用紙の属性情報の識別情報の一例である。
【００２８】
図４は、トレイ情報４１２の一例を示す図である。トレイ情報４１２は、給紙トレイ４６を識別するトレイ番号４１２０と、トレイ番号４１２０に割り当てられたストック情報４１２１とを含む。ストック情報４１２１は、ストック名４１２１ａと、用紙属性情報４１２１ｂとを含む トレイ情報４１２は、トレイ番号、ストック名、サイズ、種類、坪量等の項目を有する。サイズ、種類、坪量等は、図２で説明したのと同じ意味の用紙属性情報４１２１ｂである トレイ番号には、給紙トレイ４６のトレイ番号４１２０が「１」、「２」等のように記録される。トレイ番号４１２０は、給紙部の識別情報の一例である。ストック名４１２１ａは、用紙の属性情報の識別情報の一例である。
【００２９】
次に、制御部２０の各手段２０１〜２０３について説明する。
【００３０】
取得手段２０１は、プリンタ４と通信してプリンタ４からトレイ情報４１２を取得する。なお、プリンタ４は、給紙トレイ４６に割り当てられていないストック情報４１３をコントローラ２に送信する構成になっていないため、取得手段２０１は、そのストック情報４１３を取得できない。
【００３１】
ストック情報管理手段２０２は、取得されたトレイ情報４１２に基づいて、ストック情報４１２１が給紙トレイ４６に対して設定されているか否かに応じてプリンタ４が保持するストック情報４１２１、４１３を記憶部２１に記憶されたストック情報で２１２で書替えを行うよう制御する。
【００３２】
すなわち、ストック情報４１２１が給紙トレイ４６に対して設定されている場合、取得されたトレイ情報４１２に含まれるストック情報４１２１又は用紙属性情報４１２１ｂと記憶部２１に記憶されているストック情報２１２又は用紙属性情報２１２ｂとの同一性に応じて書替えを行う。
【００３３】
例えば、取得されたトレイ情報４１２に含まれるストック名４１２１ａと記憶部２１に記憶されているストック情報２１２のストック名２１２ａとが同一、かつ、用紙属性情報４１２１ｂ、２１２ｂが同一の場合には、書替えを行わない。
【００３４】
また、取得されたトレイ情報４１２に含まれるストック名４１２１ａと記憶部２１に記憶されているストック情報２１２のストック名２１２ａが同一、かつ、用紙属性情報が４１２１ｂ、２１２ｂが異なる場合には、上記書替えを行う。この場合、書替えを行う際、用紙属性情報４１２１ｂが書き替えられた旨をプリンタ４の表示部４２に表示するよう制御する。なお、ストック情報管理手段２０２は、確認画面を表示部４２に表示させ、書替えが許可された場合に、書替えを行ってもよい。
【００３５】
ストック情報管理手段２０２は、ストック情報４１３が給紙トレイ４６に対して設定されていない場合、取得されたトレイ情報４１２に含まれるストック情報４１２１と記憶部２１に記憶されているストック情報２１２との同一性の有無に拘らず、上記書替えを行うよう制御してもよい。
【００３６】
ストック情報管理手段２０２は、取得手段２０１がトレイ情報４１２を取得できなかった場合でも、上記書替えを行うよう制御してもよい。また、ストック情報管理手段２０２は、記憶部２１にストック情報２１２が記憶されていない場合は、プリンタ４が保持するストック情報４１３を削除するよう制御してもよい。
【００３７】
ストック情報管理手段２０２は、予め定められたタイミングに上記書替えを行う。予め定められたタイミングは、例えば、プリンタ４が電源オフの状態又は省電力の状態から通常の状態に復帰したときである。省電力の状態とは、通常の状態よりも消費電力が小さい状態をいう。省電力の状態には、例えば、画像を用紙に印刷して定着する際の定着温度を下げた状態がある。
【００３８】
（コントローラの動作）
次に、コントローラ２の動作の一例を説明する。図９は、コントローラ２の動作の一例を示すフローチャートである。コントローラ２は、プリンタ４と通信を行って給紙トレイ４６の数及びトレイ番号を取得済みとして、以下説明する。
【００３９】
コントローラ２の取得手段２０１は、プリンタ４と通信してプリンタ４からトレイ情報４１２を取得し、記憶部２１からストック情報２１２を取得する（Ｓ１）。
【００４０】
ストック情報管理手段２０２は、ストック情報２１２を取得できたか否か、すなわち記憶部２１にストック情報２１２が記憶されているか否かを判断する（Ｓ２）。ストック情報２１２が存在する場合は（Ｓ２：Ｙｅｓ）、ストック情報管理手段２０２は、ステップＳ１において取得したトレイ情報４１２に基づいて、全ての給紙トレイ４６、すなわちトレイ番号４１２０にストック情報４１２１が割当て済みか否かを判断する（Ｓ３）。
【００４１】
割当て済みの場合は（Ｓ３：Ｙｅｓ）、コントローラ２が保持している全てのストック情報でプリンタ４に対して更新終了か否かを判断する（Ｓ４）。更新終了の場合は（Ｓ４：Ｙｅｓ）、処理は終了する。
【００４２】
上記ステップＳ２において、コントローラ２にストック情報２１２が存在しない場合（Ｓ２：Ｎｏ）、及び上記ステップＳ３において、全ての給紙トレイ４６にストック情報４１３が割り当てられていない場合は（Ｓ３：Ｎｏ）、ストック情報管理手段２０２は、給紙トレイ４６に割り当てられていない全てのストック情報４１３の削除をプリンタ４に指示をする（Ｓ５）。プリンタ４の制御部４０は、記憶部４１に記憶されているストック情報４１３を削除する。コントローラ２が保持している全てのストック情報２１２でプリンタ４に対して更新が終了していれば（Ｓ４：Ｙｅｓ）、処理は終了する。
【００４３】
上記ステップＳ４において、全てのストック情報２１２の更新が終了していない場合は（Ｓ４：Ｎｏ）、当該ストック情報２１２がトレイ情報４１２として給紙トレイ４６に割当て済みか否かを判断する（Ｓ６）。割当て済みでない場合は（Ｓ６：Ｎｏ）。ストック情報２１２をプリンタ４に送信し、ストック情報２１２の追加をプリンタ４に指示をする（Ｓ７）。プリンタ４の制御部４０は、送信されたストック情報２１２をストック情報４１３として記憶部４１に記憶する。
【００４４】
上記ステップＳ６において、ストック名２１２ａ、４１２１ａが同一の用紙属性情報２１２ｂ、４１２１ｂが一致しているか否かを判断する（Ｓ８）。用紙属性情報２１２ｂ、４１２１ｂが一致しており（Ｓ８：Ｙｅｓ）、全てのストック情報２１２の更新が終了していれば（Ｓ４）、処理は終了する。すなわち当該ストック情報２１２の更新は行わない。
【００４５】
上記ステップＳ８において、用紙属性情報２１２ｂ、４１２１ｂが一致していない場合は（Ｓ８：Ｎｏ）、用紙属性情報が一致していない旨、及びコントローラ２が保持するストック情報２１２でプリンタ４が保持するストック情報４１２１を書き替えてよいか否かの確認画面をプリンタ４の表示部４２に表示させ、第２の管理者に問い合わせる（Ｓ９）。
【００４６】
書替えが許可された場合は（Ｓ９：Ｙｅｓ）、ストック情報の削除と追加をプリンタ４に指示をする（Ｓ１０）。プリンタ４の制御部４０は、記憶部４１に対してストック情報の削除と追加を行う。なお、第２の管理者に確認画面を表示せずに書替えを行った後に書替えを行った旨を通知してもよい。
【００４７】
（具体的な事例）
次に、図５から図８を参照して具体的な事例について説明する。
【００４８】
図５（ａ）は、プリンタ４が保持するストック情報４１３とコントローラ２が保持するストック情報２１２との間に不整合が生じている場合を示す。
【００４９】
この場合は、図５（ｂ）に示すように、コントローラ２からの削除指示により給紙トレイ４６に割り当てられていない全てのストック情報４１３は、プリンタ４の制御部４０により削除される。図５（ｂ）では、「ストックＡ」、「ストックＢ」のストック情報４１３が削除されているが、「ストックＣ」がさらにプリンタ４に保持されている場合は「ストックＣ」のストック情報４１３も削除される。
【００５０】
次に、図５（ｃ）に示すように、コントローラ２からの追加指示によりコントローラ２が保持する全てのストック情報２１２がストック情報４１３としてプリンタ４の記憶部４１に書き込まれる。これによりコントローラ２とプリンタ４との間の不整合が解消される。
【００５１】
図６（ａ）は、プリンタ４がストック情報４１２１、４１３を保持しているが、コントローラ２がストック情報２１２を保持していないために両者に不整合が生じている場合を示す。
【００５２】
この場合は、図６（ｂ）に示すように、コントローラ２からの削除指示により給紙トレイ４６に割り当てられていないストック情報４１３は、プリンタ４の制御部４０により削除される。給紙トレイ４６に割り当てられているストック情報４１２１は、第２の管理者により削除が許可された場合に、プリンタ４の制御部４０により削除される。このとき、割当ても解消する。これによりコントローラ２とプリンタ４との間の不整合が解消される。
【００５３】
図７（ａ）は、プリンタ４が保持するストック情報４１２１、４１３とコントローラ２が保持するストック情報２１２との間に不整合を生じている場合を示す。
【００５４】
プリンタ４のストック情報４１２１は、トレイ番号「１」に割り当てられている。この場合は、図７（ｂ）に示すように、トレイ番号「２」に割り当てられていないストック情報４１３が制御部４０により削除された後、図７（ｃ）に示すように、コントローラ２のストック情報２１２が書き込まれる。これにより給紙トレイ４６に割り当てられている「ストックＡ」についてはコントローラ２とプリンタ４との間で不整合が生じているが、給紙トレイ４６に割り当てられていない「ストックＢ」については、コントローラ２とプリンタ４との間の不整合は解消される。
【００５５】
図８（ａ）は、プリンタ４が保持するストック情報４１２１とコントローラ２が保持するストック情報２１２との間に不整合が生じている場合を示す。プリンタ４のストック情報４１２１は、トレイ番号「１」に割り当てられている。図８（ａ）に示す場合は、ストック名は同一であるが、用紙属性情報が相違している。
【００５６】
この場合は、図８（ｂ）に示すように、トレイ番号「１」に割り当てられているストック情報４１２１及びトレイ番号４１２０は、第２の管理者により更新が許可された場合に、制御部４０により削除された後に、図８（ｃ）に示すように、コントローラ２が保持するストック情報２１２が制御部４０によりストック情報４１２１として書き込まれる。これによりコントローラ２が保持するストック情報２１２とプリンタ４が保持するストック情報４１３との間の不整合が解消される。なお、上記の例では、ストック情報４１２１を削除する際に割当ても解消しているが、割当てを残したままでもよい。
【００５７】
以上、本発明の実施の形態を説明したが、本発明の実施の形態は上記実施の形態に限定されるものではなく、本発明の要旨を変更しない範囲内で種々の変形、実施が可能である。
【００５８】
制御部２０は、それぞれ一部又は全部を再構成可能回路（ＦＰＧＡ：Field Programmable Gate Array）、特定用途向け集積回路（ＡＳＩＣ：Application Specific Integrated Circuit）等のハードウェア回路によって構成してもよい。
【００５９】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータ読み取り可能な記録媒体に記録して提供することができる。また、上記実施の形態で用いたプログラムをクラウドサーバ等の外部サーバに格納しておき、ネットワークを介して利用することができる。
【符号の説明】
【００６０】
１…印刷システム、２…コントローラ、３…通信線、４…プリンタ、２０…制御部、２１…記憶部、２２…表示部、２３…入力部、２４…通信部、４０…制御部、４１…記憶部、４２…表示部、４３…入力部、４４…通信部、４５…印刷実行部、４６、４６Ａ、４６Ｂ…給紙トレイ、２０１…取得手段、２０２…ストック情報管理手段、２０３…印刷制御手段、２１０…プログラム、２１１…用紙属性情報、２１２…ストック情報、２１２ａ…ストック名、２１２ｂ…用紙属性情報、４１０…プログラム、４１１…用紙属性情報、４１２…トレイ情報、４１３…ストック情報、４１２０…トレイ番号、４１２１…ストック情報、４１２１ａ…ストック名、４１２１ｂ…用紙属性情報
【図１】
2020154813.tif 000003
【図２】
2020154813.tif 000004
【図３】
2020154813.tif 000005
【図４】
2020154813.tif 000006
【図５】
2020154813.tif 000007
【図６】
2020154813.tif 000008
【図７】
2020154813.tif 000009
【図８】
2020154813.tif 000010
【図９】
2020154813.tif 000011